(57)【要約】【課題】載置状態検出手段及び外径検出手段を備えるものにおいて、異常があるか否かを判別することが可能となるコンロを提供する。【解決手段】五徳２に被加熱物Ｎが載置されているか否かを検出する載置状態検出手段２１と、被加熱物Ｎの外径を検出する外径検出手段Ｋと、載置状態検出手段２１及び外径検出手段Ｋの検出情報に基づいてバーナ３の燃焼状態を制御する運転制御手段１０１とが備えられ、外径検出手段Ｋが、被加熱物Ｎの存否を検出する被加熱物存否検出手段と、その検出情報に基づいて被加熱物Ｎの外径の大きさを判別する外径判別手段１０１とを備えて構成され、運転制御手段１０１が、載置状態検出手段２１にて五徳２に被加熱物Ｎが載置されていないことが検出され、且つ、外径検出手段Ｋにおける被加熱物存否検出手段にて被加熱物Ｎの存在が検出されると、異常状態であると判別する。【選択図】図２
2008138912.tif 000002
【特許請求の範囲】
【請求項１】
五徳に載置された被加熱物を加熱するバーナと、前記五徳に被加熱物が載置されているか否かを検出する載置状態検出手段と、被加熱物の外径を検出する外径検出手段と、運転を制御する運転制御手段とが備えられ、
前記外径検出手段が、前記五徳に載置される被加熱物の存在領域を検出すべく被加熱物の存否を検出する被加熱物存否検出手段と、その被加熱物存否検出手段の検出情報に基づいて被加熱物の外径の大きさを判別する外径判別手段とを備えて構成され、
前記運転制御手段が、前記載置状態検出手段及び前記外径検出手段の検出情報に基づいて前記バーナの燃焼状態を制御するように構成されているコンロであって、
前記運転制御手段が、
前記載置状態検出手段にて前記五徳に被加熱物が載置されていないことが検出され、且つ、前記外径検出手段における前記被加熱物存否検出手段にて被加熱物の存在が検出されると、異常状態であると判別する異常判別処理を実行するように構成されているコンロ。
【請求項２】
前記被加熱物存否検出手段が、前記五徳に載置される被加熱物の径方向に互いに異なる複数の位置の夫々における被加熱物の存否を各別に検出する複数の検出部を備えて構成され、
前記運転制御手段が、
前記異常判別処理において、前記載置状態検出手段にて前記五徳に被加熱物が載置されていないことが検出されている状態で、前記被加熱物存否検出手段の複数の検出部のうちの少なくともいずれか１つのものが被加熱物の存在を検出すると、異常状態であると判別するように構成されている請求項１記載のコンロ。
【請求項３】
前記運転制御手段が、
電源スイッチが入操作されて電源供給が開始されるに伴って、前記異常判別処理を実行するように構成され、且つ、
前記異常状態であることを判別すると、そのことを報知手段にて報知する報知処理を実行するように構成されている請求項１又は２記載のコンロ。
【請求項４】
前記運転制御手段が、
前記電源スイッチが入操作されたときに、前記載置状態検出手段にて前記五徳に被加熱物が載置されていることが検出され、且つ、前記外径検出手段における前記被加熱物存否検出手段にて被加熱物の存在が検出されると、被加熱物を前記五徳から外すように使用者に促すべく報知手段にて報知する被加熱物除去指令処理を実行するように構成されている請求項３記載のコンロ。
【請求項５】
五徳に載置された被加熱物を加熱するバーナと、前記五徳に被加熱物が載置されているか否かを検出する載置状態検出手段と、被加熱物の外径を検出する外径検出手段と、運転を制御する運転制御手段とが備えられ、
前記外径検出手段が、前記五徳に載置される被加熱物の存在領域を検出すべく被加熱物の存否を検出する被加熱物存否検出手段と、その被加熱物存否検出手段の検出情報に基づいて被加熱物の外径の大きさを判別する外径判別手段とを備えて構成され、
前記運転制御手段が、前記載置状態検出手段及び前記外径検出手段の検出情報に基づいて前記バーナの燃焼状態を制御するように構成されているコンロであって、
前記被加熱物存否検出手段が、前記五徳に載置される被加熱物の径方向に互いに異なる複数の位置の夫々における被加熱物の存否を検出する複数の検出部を備えて構成され、
前記運転制御手段が、
前記被加熱物存否検出手段の複数の検出部のうちのいずれにおいても被加熱物の存在が検出されず、且つ、前記載置状態検出手段にて前記五徳に被加熱物が載置されていることが検出されると、異常状態であると判別する異常判別処理を実行するように構成されているコンロ。
【請求項６】
前記運転制御手段が、
電源スイッチが入操作されて電源供給が開始されるに伴って、前記異常判別処理を実行するように構成され、且つ、
前記異常状態であることを判別すると、そのことを報知手段にて報知する報知処理を実行するように構成されている請求項５記載のコンロ。
【請求項７】
前記運転制御手段が、
点火指令手段にて前記バーナに対する点火が指令されたときに、前記異常判別処理を実行するように構成され、且つ、
前記異常状態であることを判別すると、前記バーナに対する点火処理を実行しない、又は、前記バーナに対する点火処理を実行したのちに前記バーナに対する燃料供給量を点火用設定値よりも少ない値に調整する燃焼量低減処理を実行するように構成されている請求項１〜６のいずれか１項に記載のコンロ。
【請求項８】
前記被加熱物存否検出手段の複数の検出部が、平面視で前記バーナの中心部を中心位置として複数重の同心円状又はほぼ同心円状に並び且つ周方向に間隔をあけて並ぶ状態で備えられ、
前記各検出部は、天板の下方側に位置する状態で備えられて、その天板に形成された光透過窓を通して上方に光を照射して被加熱物の底部にて反射してくる反射光を検出する光学式検出手段にて構成されている請求項２〜７のいずれか１項に記載のコンロ。
【発明の詳細な説明】
【技術分野】
【０００１】
本発明は、五徳に載置された被加熱物を加熱するバーナと、前記五徳に被加熱物が載置されているか否かを検出する載置状態検出手段と、被加熱物の外径を検出する外径検出手段と、運転を制御する運転制御手段とが備えられ、
前記外径検出手段が、前記五徳に載置される被加熱物の存在領域を検出すべく被加熱物の存否を検出する被加熱物存否検出手段と、その被加熱物存否検出手段の検出情報に基づいて被加熱物の外径の大きさを判別する外径判別手段とを備えて構成され、
前記運転制御手段が、前記載置状態検出手段及び前記外径検出手段の検出情報に基づいて前記バーナの燃焼状態を制御するように構成されているコンロに関する。
【背景技術】
【０００２】
上記コンロにおいて、従来では、前記外径検出手段における前記被加熱物存否検出手段が、前記五徳に載置される被加熱物の径方向に互いに異なる複数の位置の夫々における被加熱物の存否を各別に検出する複数の検出部を備えて構成され、複数の検出部の検出結果により、前記複数の位置の夫々における被加熱物の存否を検出して、その検出結果に基づいて被加熱物の外径の大きさを判別する構成となっており、又、載置状態検出手段が、バーナの中心部に位置させる状態で備えられ、被加熱物の存否を検出するように構成されていた（例えば、特許文献１参照。）。
【０００３】
説明を加えると、前記被加熱物存否検出手段を構成する複数の検出部が、天板の下方側に位置する状態で備えられて、その天板に形成された光透過窓を通して上方に光を照射し且つ被加熱物の底部にて反射してくる反射光を検出する光センサにて構成され、それら複数の光センサが、平面視でバーナの中心部を中心位置として２重の同心円状に並び且つ周方向に約９０度ずつ間隔をあけて４個並ぶ状態で合計８個備えて構成される。
【０００４】
又、前記外径判別手段は、外周側に位置する４個の光センサのうちの３個の以上のものが被加熱物の存在を検出すると大径であると判別し、内周側に位置する４個の光センサのうちの３個の以上のものが被加熱物の存在を検出すると中径であり、内周側に位置する４個の光センサのうち被加熱物の存在を検出するものが２個以下であれば小径であると判別する構成であり、運転制御手段は、前記外径検出手段の検出結果に基づいて検出される被加熱物の外径の大きさに対応した燃焼量になるようにバーナの燃焼量を自動調整する構成となっている。
【０００５】
そして、前記載置状態検出手段も外径検出手段と同様に、上方に光を照射し、且つ、被加熱物の底部にて反射してくる反射光を検出する光センサにて構成されており、運転制御手段は、この載置状態検出手段にて被加熱物の存在が検出されていると、バーナに対する点火指令があれば点火処理を行うが、被加熱物の存在が検出されていないときは、バーナに対する点火が指令されても点火処理が行わない構成となっている。
【０００６】
【特許文献１】特開２００６−２４２４８１号公報
【発明の開示】
【発明が解決しようとする課題】
【０００７】
上記したように前記外径検出手段は、前記被加熱物存否検出手段にて被加熱物の存否を検出してその検出結果に基づいて被加熱物の外径の大きさを判別するものであるが、前記被加熱物存否検出手段が故障したり、あるいは、被加熱物存否検出手段が被計測物とは異なる他物の存在を検出することによって、被計測物が存在しないにもかかわらず、被計測物が存在しているものと誤検出することがある。
【０００８】
上記従来構成のように被加熱物存否検出手段における検出部として光センサを用いるものであれば、例えば、いずれかの光センサに対応する前記光透過窓が調理物が飛散して汚れていたり、あるいは、被加熱物以外の他の調理器具等が存在することに起因して、光センサが、被加熱物が存在しないにもかかわらず、被計測物が存在しているものと誤検出することがある。
【０００９】
このように前記被加熱物存否検出手段が誤検出により誤って被加熱物の存在を検出すると、前記外径判別手段が、実際の被加熱物は小径であるにもかかわらず、実際の外径よりも大きいものとして被加熱物の外径を誤判別するおそれがある。このような誤判別が発生すると、そのような誤った判別結果に基いて運転制御手段がバーナの燃焼量を制御することになるから、被加熱物は小径であるのにバーナの燃焼量が大径に対応した大きな燃焼量になり、使用上の安全性が低下する不利がある。
【００１０】
又、前記載置状態検出手段においても同様に、故障したり、あるいは、被計測物とは異なる他物の存在によって、被計測物が存在しないにもかかわらず、被計測物が存在しているものと誤検出することがある。
このように載置状態検出手段が、五徳に被加熱物が載置されていないにもかかわらず被加熱物が存在しているものと誤って検出することがあると、五徳に被加熱物が載置されていない場合であっても、運転制御手段は被加熱物が存在しているものと判断することになるから、五徳に被加熱物が載置されていないのに、点火指令により点火処理が行われることになり、使用上の安全性が低下する不利がある。
【００１１】
本発明の目的は、載置状態検出手段及び外径検出手段を備えるものにおいて、異常があるか否かを判別して、使用上の安全性を向上することが可能となるコンロを提供する点にある。
【課題を解決するための手段】
【００１２】
本発明に係るコンロは、五徳に載置された被加熱物を加熱するバーナと、前記五徳に被加熱物が載置されているか否かを検出する載置状態検出手段と、被加熱物の外径を検出する外径検出手段と、運転を制御する運転制御手段とが備えられ、
前記外径検出手段が、前記五徳に載置される被加熱物の存在領域を検出すべく被加熱物の存否を検出する被加熱物存否検出手段と、その被加熱物存否検出手段の検出情報に基づいて被加熱物の外径の大きさを判別する外径判別手段とを備えて構成され、
前記運転制御手段が、前記載置状態検出手段及び前記外径検出手段の検出情報に基づいて前記バーナの燃焼状態を制御するように構成されているものであって、
その第１特徴構成は、前記運転制御手段が、
前記載置状態検出手段にて前記五徳に被加熱物が載置されていないことが検出され、且つ、前記外径検出手段における前記被加熱物存否検出手段にて被加熱物の存在が検出されると、異常状態であると判別する異常判別処理を実行するように構成されている点にある。
【００１３】
第１特徴構成によれば、前記運転制御手段は、前記載置状態検出手段にて前記五徳に被加熱物が載置されていないことが検出され、且つ、前記外径検出手段における被加熱物存否検出手段にて被加熱物の存在が検出されると、異常状態であると判別する。すなわち、載置状態検出手段によって五徳に被加熱物が載置されていないことが検出されているにもかかわらず、被加熱物存否検出手段にて被加熱物の存在が検出されるときは、その被加熱物存否検出手段が、実際には被加熱物が存在しないにもかかわらず被加熱物が存在していると検出するような動作異常を起こしているか、又は、被加熱物以外の他物の存在を被計測物と誤検出していることが推定できるから、そのようなときは異常状態であると判別するのである。そして、例えば、異常状態であることを報知することにより、使用者が、被加熱物存否検出手段における検出箇所において、被加熱物以外の外物があればそれを取り除いたり、あるいは汚れを除去したりする等の異常発生の要因を除去する等、異常な状態に対する対策をとることが可能となる。
【００１４】
従って、第１特徴構成によれば、載置状態検出手段及び外径検出手段を備えるものにおいて、異常があるか否かを判別して、使用上の安全性を向上することが可能となるコンロを提供できるに至った。
【００１５】
本発明の第２特徴構成は、第１特徴構成に加えて、前記被加熱物存否検出手段が、前記五徳に載置される被加熱物の径方向に互いに異なる複数の位置の夫々における被加熱物の存否を各別に検出する複数の検出部を備えて構成され、
前記運転制御手段が、
前記異常判別処理において、前記載置状態検出手段にて前記五徳に被加熱物が載置されていないことが検出されている状態で、前記被加熱物存否検出手段の複数の検出部のうちの少なくともいずれか１つのものが被加熱物の存在を検出すると、異常状態であると判別するように構成されている点にある。
【００１６】
第２特徴構成によれば、前記被加熱物存否検出手段における複数の検出部が正常に動作しているときは、その複数の検出部が、前記五徳に載置される被加熱物の径方向に互いに異なる複数の位置の夫々における被加熱物の存否を各別に検出することにより、被加熱物の外径を検出することになる。そして、前記制御手段は、前記載置状態検出手段にて前記五徳に被加熱物が載置されていないことが検出されている状態で、前記被加熱物存否検出手段の複数の検出部のうちの少なくともいずれか１つのものが被加熱物の存在を検出すると、異常状態であると判別するのである。
【００１７】
前記載置状態検出手段にて前記五徳に被加熱物が載置されていないことが検出されているにもかかわらず、複数の検出部のうちの少なくともいずれか１つのものが被加熱物の存在を検出すると、その検出部が故障しているか又は被加熱物以外の他物の存在を被計測物と誤検出していることが推定できるから、そのときは異常状態であると判別することになる。
【００１８】
従って、第２特徴構成によれば、被加熱物の存否を各別に検出する複数の検出部を備える場合であっても、異常状態を適切に判別することが可能となる。
【００１９】
本発明の第３特徴構成は、第１特徴構成又は第２特徴構成に加えて、前記運転制御手段が、電源スイッチが入操作されて電源供給が開始されるに伴って、前記異常判別処理を実行するように構成され、且つ、前記異常状態であることを判別すると、そのことを報知手段にて報知する報知処理を実行するように構成されている点にある。
【００２０】
第３特徴構成によれば、電源スイッチが入操作されて電源供給が開始されるに伴って、前記異常判別処理を実行するものであるから、定期的に繰り返し異常状態であるか否かを判別することになり、異常状態のまま誤って継続使用することがなく、異常状態であることを適切に検出することができる。又、前記異常状態であることを判別すると、そのことを報知手段にて報知する報知処理を実行するものであるから、使用者は異常状態であることを認識できるので、その後の対策をとることができる。
【００２１】
本発明の第４特徴構成は、第３特徴構成に加えて、前記運転制御手段が、前記電源スイッチが入操作されたときに、前記載置状態検出手段にて前記五徳に被加熱物が載置されていることが検出され、且つ、前記外径検出手段における前記被加熱物存否検出手段にて被加熱物の存在が検出されると、被加熱物を前記五徳から外すように使用者に促すべく報知手段にて報知する被加熱物除去指令処理を実行するように構成されている点にある。
【００２２】
第４特徴構成によれば、前記電源スイッチが入操作されたときに、前記載置状態検出手段にて前記五徳に被加熱物が載置されていることが検出され、且つ、前記外径検出手段における前記被加熱物存否検出手段にて被加熱物の存在が検出されると、五徳に被加熱物が載置されていることが想定される状態であるから、前記被加熱物存否検出手段により被加熱物の存在が検出されていても、その検出結果が被加熱物を正常に検出しているものか、異常によって被加熱物の存在を検出する状態になっているかが判らないので、被加熱物を五徳から外すように使用者に促すべく報知手段にて報知するのである。そして、使用者が被加熱物を五徳から外すと、載置状態検出手段にて前記五徳に被加熱物が載置されていないことが検出されるので、そのとき、前記被加熱物存否検出手段により被加熱物の存在が検出されるか否かにより、異常状態であるか否かを判別することができる。
【００２３】
本発明の第５特徴構成は、五徳に載置された被加熱物を加熱するバーナと、前記五徳に被加熱物が載置されているか否かを検出する載置状態検出手段と、被加熱物の外径を検出する外径検出手段と、運転を制御する運転制御手段とが備えられ、
前記外径検出手段が、前記五徳に載置される被加熱物の存在領域を検出すべく被加熱物の存否を検出する被加熱物存否検出手段と、その被加熱物存否検出手段の検出情報に基づいて被加熱物の外径の大きさを判別する外径判別手段とを備えて構成され、
前記運転制御手段が、前記載置状態検出手段及び前記外径検出手段の検出情報に基づいて前記バーナの燃焼状態を制御するように構成されているコンロであって、
前記被加熱物存否検出手段が、前記五徳に載置される被加熱物の径方向に互いに異なる複数の位置の夫々における被加熱物の存否を検出する複数の検出部を備えて構成され、
前記運転制御手段が、
前記被加熱物存否検出手段の複数の検出部のうちのいずれにおいても被加熱物の存在が検出されず、且つ、前記載置状態検出手段にて前記五徳に被加熱物が載置されていることが検出されると、異常状態であると判別する異常判別処理を実行するように構成されている点にある。
【００２４】
第５特徴構成によれば、前記運転制御手段は、前記外径検出手段における前記被加熱物存否検出手段の複数の検出部のうちのいずれにおいても被加熱物の存在が検出されず、且つ、前記載置状態検出手段にて前記五徳に被加熱物が載置されていることが検出されると、異常状態であると判別する。
【００２５】
説明を加えると、被加熱物存否検出手段の複数の検出部は、外径検出対象である外径の異なる複数種の被加熱物の夫々について、被加熱物の存否に基づいて外径を判別することができるものであり、最小径の被加熱物であっても、それが五徳に載置されているときには、その外径に対応する検出部が被加熱物の存在を検出することになる。
【００２６】
被加熱物存否検出手段の複数の検出部のうちのいずれにおいても被加熱物の存在が検出されていないにもかかわらず、前記載置状態検出手段にて前記五徳に被加熱物が載置されていることが検出されるときは、その載置状態検出手段が、実際には被加熱物が存在しないにもかかわらず被加熱物が存在していると検出するような動作異常を起こしているか、又は、被加熱物以外の他物の存在を被計測物と誤検出していることが推定できるから、そのようなときは異常状態であると判別するのである。
【００２７】
その結果、例えば、異常状態であることを報知することにより、使用者が、被加熱物存否検出手段における検出箇所において、被加熱物以外の外物があればそれを取り除いたり、あるいは汚れを除去したりする等の異常発生の要因を除去するか、又は、実際の被加熱物の外径に対応した燃焼量に変更する等、異常状態に対する対策をとることが可能となる。
【００２８】
従って、第５特徴構成によれば、載置状態検出手段及び外径検出手段を備えるものにおいて、異常があるか否かを判別して、使用上の安全性を向上することが可能となるコンロを提供できるに至った。
【００２９】
本発明の第６特徴構成は、第５特徴構成に加えて、前記運転制御手段が、電源スイッチが入操作されて電源供給が開始されるに伴って、前記異常判別処理を実行するように構成され、且つ、前記異常状態であることを判別すると、そのことを報知手段にて報知する報知処理を実行するように構成されている点にある。
【００３０】
第６特徴構成によれば、電源スイッチが入操作されて電源供給が開始されるに伴って、前記異常判別処理を実行するものであるから、定期的に繰り返し異常状態であるか否かを判別することになり、異常状態のまま誤って継続使用することがなく、異常状態であることを適切に検出することができる。又、前記異常状態であることを判別すると、そのことを報知手段にて報知する報知処理を実行するものであるから、使用者は異常状態であることを認識できるので、その後の対策をとることが可能となる。
【００３１】
本発明の第７特徴構成は、第１特徴構成〜第６特徴構成のいずれか１項に加えて、前記運転制御手段が、点火指令手段にて前記バーナに対する点火が指令されたときに、前記異常判別処理を実行するように構成され、且つ、前記異常状態であることを判別すると、前記バーナに対する点火処理を実行しない、又は、前記バーナに対する点火処理を実行したのちに前記バーナに対する燃料供給量を点火用設定値よりも少ない値に調整する燃焼量低減処理を実行するように構成されている点にある。
【００３２】
第７特徴構成によれば、前記運転制御手段が、点火指令手段にて前記バーナに対する点火が指令されたときに異常判別処理を実行して、前記異常状態であることを判別すると、バーナに対する点火処理を実行しない、又は、バーナに対する点火処理を実行したのちにバーナに対する燃料供給量を点火用設定値よりも少ない値に調整する燃焼量低減処理を実行するように構成されているから、バーナに点火するときに、異常状態であるか否かを判別して、その判別結果に対応させて異常状態であれば点火処理を実行しないか、又は、燃焼量低減処理を実行することで使用上の安全性を向上することができる。
【００３３】
本発明の第８特徴構成は、第２特徴構成〜第７特徴構成のいずれか１項に加えて、前記被加熱物存否検出手段の複数の検出部が、平面視で前記バーナの中心部を中心位置として複数重の同心円状又はほぼ同心円状に並び且つ周方向に間隔をあけて並ぶ状態で備えられ、前記各検出部は、天板の下方側に位置する状態で備えられて、その天板に形成された光透過窓を通して上方に光を照射して被加熱物の底部にて反射してくる反射光を検出する光学式検出手段にて構成されている点にある。
【００３４】
第８特徴構成によれば、前記被加熱物存否検出手段の複数の検出部が、平面視で前記バーナの中心部を中心位置として複数重の同心円状又はほぼ同心円状に並び且つ周方向に間隔をあけて並ぶ状態で備えられるから、１つの同心円に沿うように周方向に並ぶ複数の検出部が全て被加熱物の存在を検出している場合には、被加熱物の外径がその同心円の径よりも大径であると判別することができ、又、複数の検出部が全て被加熱物の存在を検出していない場合には、被加熱物の外径がその同心円の径よりも小径であると判別することができ、上記したような同心円の径を外径判別の基準として被加熱物の外径を判別することが可能である。
【００３５】
しかも、複数の検出部が複数重の同心円状又はほぼ同心円状に並ぶものであるから、複数重の同心円の径の夫々を外径判別の基準として被加熱物の外径の判別を複数段階にわたって行うことが可能となる。つまり、複数種の外径の被加熱物が存在する場合であっても、その外径を適切に検出することが可能となる。
【００３６】
又、例えば、複数重の同心円のうちのいずれかの１つの同心円に沿うように周方向に並ぶ複数の検出部が全て被加熱物の存在を検出していなくても、そのうちの設定割合（例えば過半数）以上のものが被加熱物を検出しているときは、その同心円の径よりも大径であるが位置ずれが発生していると判別することも可能であり、被加熱物の位置ずれにかかわらず適切な外径の検出が可能となる。
【００３７】
その結果、複数種の外径の被加熱物が存在し、且つ、五徳に載置されるときにバーナの中心位置に対して被加熱物の中心位置がずれているような場合であっても、被加熱物の外径を適切に検出することが可能となる。
【００３８】
又、前記各検出部は、天板の下方側に位置する状態で備えられて、その天板に形成された光透過窓を通して上方に光を照射して被加熱物の底部にて反射してくる反射光を検出する光学式検出手段にて構成されるから、天板の下方側に設けられた光学式検出手段が光透過窓を通して光を照射し、且つ、被加熱物にて反射して光透過窓を通して受光される反射光を利用して、被加熱物の存否を判別することにより被加熱物の外径を判別する構成であるから、天板には光透過窓を設けるだけでよく、天板の上面よりも上方に突出するような突起物が存在せず、天板の上面は平らな平面で仕上げることが可能となる。その結果、コンロの外観上の美観を向上させることが可能であり、又、天板の上部を清掃するときに雑巾等が引っ掛かるものがなく清掃を行い易いものにできる。
【発明を実施するための最良の形態】
【００３９】
〔第１実施形態〕
以下、図面に基づいて本発明の第１実施形態を説明する。
図１に、本発明に係るコンロとしてのビルトイン形式のコンロの概略図を示している。このコンロは、３つのコンロバーナ部３０とグリル部３１とを備えて構成され、システムキッチンのカウンター３２に開口された設置部３３に設けられる構成となっている。
【００４０】
図２に示すように、前記各コンロバーナ部３０は、耐熱性を備える材質からなる平板状の天板１と、調理用の鍋等の被加熱物Ｎを載置可能な五徳２、その五徳２上に載置される被加熱物Ｎを加熱するガス燃焼式のバーナ３とを備えて構成されている。又、図２及び図４に示すように、コンロの運転を制御する制御部４、人為操作にて制御部４に各種の指令を行う操作部５、例えば乾電池や商用電源等の電源Ｄから制御部に対する電力供給を入り切りする電源スイッチＳＷ等を備えて構成されている。
【００４１】
前記バーナ３は、ブンゼン燃焼式のバーナであり、燃料供給路６を通じて供給される燃料ガスＧを噴出するガスノズル７、そのガスノズル７から燃料ガスＧが噴出されると共に、その燃料ガスＧの噴出に伴う吸引作用により燃焼用空気Ａが供給される混合管８、及び、混合管８から供給される混合気を径方向外方側に噴出する複数の炎口９を備えたバーナ本体１０等を備えて構成され、前記バーナ本体１０は天板１に形成された開口１１を通して上方に露出する状態となっている。そして、炎口９から噴出される混合気を燃焼させて火炎を形成して被加熱物Ｎを加熱するように構成されている。前記燃料供給路６には、前記ガスノズル７への燃料ガスＧの供給を断続する断続弁１２と、ガスノズル７への燃料ガスＧの供給量を調節してバーナ３による火力すなわち燃焼量を変更調整自在な燃焼量調整手段としてのガス量調節弁１３とが設けられる。又、バーナ３の炎口９の近傍には点火用のイグナイタ１４及びバーナ３への着火状態を確認するための熱電対１５も設けられる。
【００４２】
図１に示すように、前記操作部５には、押し操作する毎にバーナ３への点火指令を指令する点火指令状態と消火指令を指令する消火指令状態とに交互に切り換わる点火指令手段の一例としての点消火スイッチ１６、前記バーナ３の燃焼量の変更を指令するための燃焼量調節器１７等が設けられている。
【００４３】
そして、３つのコンロバーナ部３０の夫々には、五徳２に被加熱物が載置されているか否かを検出する載置状態検出手段としての載置状態検出部２１が設けられている。
図２に示すように、この載置状態検出部２１は、五徳２に載置される被加熱物Ｎの底部が当接するのに伴って押し下げられて被加熱物載置状態を検出する検出位置とその載置状態検出位置よりも上方の非検出位置とにわたって上下動自在で、且つ、前記非検出位置に復帰付勢される上下可動部２２ｂを備えた伸縮機構２２と、その上下可動部２２ｂが前記検出位置に位置するとオンし、且つ、上下可動部２２ｂが前記非検出位置に位置するとオフする載置状態検出スイッチ２３とを備えて構成されている。
【００４４】
前記伸縮機構２２は、ケーシングに対して固定された案内支持部２２ａに上下可動部２２ｂをバネ（図示省略）にて上方に復帰付勢した状態で上下方向に移動自在に支持して構成され、五徳２上に被加熱物Ｎが載置されていないときは、上下可動部２２ｂが、復帰付勢力により、上端が五徳２における被加熱物Ｎを受け止める上端部よりも突出する状態の前記非検出位置に復帰する伸状態となり、五徳２上に被加熱物Ｎが載置されるに伴って、上下可動部２２ｂが被加熱物Ｎの底部により押し下げられて前記検出位置に位置する縮状態となる。
【００４５】
前記載置状態検出スイッチ２３は、伸縮機構２２の上下可動部２２ｂが五徳２上に載置された被加熱物により押し下げられて前記載置状態検出位置に位置するとオンし、五徳２上に載置された被加熱物が上げられて上下可動部２２ｂが上方に復帰して前記非載置状態検出位置に位置するとオフになるように設けられている。そして、この載置状態検出スイッチ２３の検出結果は制御部４に入力される構成となっている。
【００４６】
又、３つのコンロバーナ部３０のうちの２つのコンロバーナ部３０において、五徳２に載置された被加熱物Ｎの底部の外径の大きさを検出するための外径検出手段Ｋが設けられている。この外径検出手段Ｋは、五徳２に載置される被加熱物Ｎの存在領域を検出すべく被加熱物Ｎの存否を検出する被加熱物存否検出手段Ｓと、その被加熱物存否検出手段Ｓの検出情報に基づいて被加熱物Ｎの外径の大きさを判別する外径判別手段１００とを備えて構成されている。又、前記被加熱物存否検出手段Ｓが、五徳２に載置される被加熱物Ｎの径方向に互いに異なる複数の位置の夫々における被加熱物Ｎの存否を各別に検出する複数の検出部を備えて構成されている。
【００４７】
又、前記被加熱物存否検出手段Ｓの複数の検出部が、平面視で前記バーナ３の中心部を中心位置として複数重の同心円状又はほぼ同心円状に並び且つ周方向に間隔をあけて並ぶ状態で備えられ、前記各検出部は、天板１の下方側に位置する状態で備えられて、その天板１に形成された光透過窓１８を通して上方に光を照射して被加熱物Ｎの底部にて反射してくる反射光を検出する光学式検出手段としての反射型の光センサＳ１〜Ｓ８にて構成されている。
【００４８】
すなわち、外形検出手段Ｋは、図２に示すように、天板１の下方側に位置する状態で備えられて、その天板１に形成された光透過窓１８を通して上方に光を照射し、且つ、被加熱物Ｎの底部にて反射してくる反射光を検出する検出部としての複数の反射型の光センサＳ１〜Ｓ８と、その光センサＳ１〜Ｓ８の検出情報に基づいて被加熱物Ｎの外径を判別する外径判別手段１００とを備えて構成されている。そして、図４に示すように、複数の反射型の光センサＳ１〜Ｓ８により被加熱物存否検出手段Ｓが構成される。
【００４９】
又、図３に示すように、前記光センサＳ１〜Ｓ８は、平面視で前記バーナ３の中心部を中心位置として複数重に同心円状又はほぼ同心円状に並び、且つ、周方向に約９０度づつ間隔をあけて並ぶ状態で合計８個設けられている。つまり、合計８個の光センサＳ１〜Ｓ８がバーナ３の外周部に分散配置される構成となっている。
【００５０】
そして、図８（ロ）に実線で示すように、標準的な中程度の外径（約２０ｃｍ程度）の被加熱物Ｎをバーナ３の中心位置に中心を合わせて載置させると、径方向の内側に位置する４個の光センサＳ１〜Ｓ４が全て被加熱物Ｎの存在を検出し、径方向の外側に位置する４個の光センサＳ５〜Ｓ８が全て被加熱物Ｎの存在を検出しない状態となるような配置関係としている。又、標準的な中程度の外径よりも小さい小径の被加熱物Ｎであれば、図８（イ）に実線で示すように、径方向の内側に位置する４個の光センサＳ１〜Ｓ４が全て被加熱物Ｎの存在を検出しない状態となり、標準的な中程度の外径よりも大きい大径の被加熱物Ｎであれば、図８（ハ）に実線で示すように、径方向の外側に位置する４個の光センサＳ５〜Ｓ８が全て被加熱物Ｎの存在を検出する状態となる構成としている。
【００５１】
前記天板１に形成される光透過窓１８は、上記したような８個の外径検出用の光センサＳ１〜Ｓ８が位置する箇所において夫々各別に、上下方向に光が透過する状態で形成され、天板１を構成する材質とは異なる透光性材料にて構成されている。
【００５２】
前記８個の外径検出用の光センサＳ１〜Ｓ８は夫々同じ構成のものであり、図２に示すように、前記光透過窓１８を通して上方に光を照射する発光部１９と、上方に照射した光が被加熱物Ｎの底部にて反射した光を受光する受光部２０とを備えて構成されている。発光部１９にて光透過窓１８を通して上方に向けて光を照射するが、その光照射位置に被加熱物Ｎが存在していれば、被加熱物Ｎの底部にて反射した光を受光部２０が受光するが、被加熱物Ｎが存在していないと光は受光しないことになる。従って、受光部２０による受光情報に基づいて、光透過窓１８の上方側箇所における被加熱物Ｎの存否を判別することができる。尚、前記発光部１９は例えば発光ダイオード等により構成され、前記受光部２０はフォトダイオード等により構成されている。
【００５３】
図４に示すように、前記各光センサＳ１〜Ｓ８は、制御部４に接続されており、それらの各光センサＳ１〜Ｓ８が互いに異なるタイミングで光を照射して反射光を検出するように制御部４により制御され、制御部４が、それらの各光センサＳ１〜Ｓ８の検出情報に基づいて被加熱物の外径を判別する処理を実行する構成となっている。すなわち、この実施形態では、制御部４を利用して外径判別手段１００が構成されている。尚、２つのコンロバーナ部３０に備えられる２つの外形検出手段Ｋは同じ構成であるから、図４では、そのうちの１つを代表して記載しており、他方の外径検出手段Ｋは図示は省略している。
【００５４】
又、前記制御部４を利用して、バーナの燃焼状態を制御したり、後述するような動作異常であることを使用者に音声で報知するための報知手段としてのスピーカ２４を作動させる運転制御手段１０１が構成されている。
【００５５】
すなわち、この制御部４は、前記点消火スイッチ１６により点火が指令されると、バーナ３の燃焼量が点火に適した大きめの燃焼量である点火用燃焼量になるようにガス量調節弁１３を調整してバーナ３に点火する点火処理を実行し、且つ、前記点火処理を実行した後に、外径検出手段Ｋの検出情報に基づいて被加熱物Ｎの外径に対応した燃焼量になるようにガス量調節弁１３を制御する燃焼量調整処理を実行するように構成されている。
【００５６】
又、制御部４は、前記載置状態検出部２１にて五徳２に被加熱物Ｎが載置されていないことが検出され、且つ、前記外径検出手段Ｋにおける前記被加熱物存否検出手段Ｓにて被加熱物Ｎの存在が検出されると、異常状態であると判別する異常判別処理を実行するように構成されている。説明を加えると、制御部４は、電源スイッチＳＷが入操作されて電源供給が開始されるに伴って前記異常判別処理を実行するように構成され、さらに、電源スイッチＳＷが入り操作されている状態で、点消火スイッチ１６が操作されて点火操作が行われると前記異常判別処理を実行するように構成されており、前記異常判別処理にて前記異常状態であることを判別すると、そのことをスピーカ２４にて音声で報知する報知処理を実行するように構成され、さらに、前記異常状態であることを判別すると、バーナ３に対する点火処理を実行しないように構成されている。
【００５７】
又、制御部４は、電源スイッチＳＷが入操作されたときに、載置状態検出部２１にて五徳２に被加熱物Ｎが載置されていることが検出され、且つ、前記外径検出手段Ｋにおける前記被加熱物存否検出手段Ｓにて被加熱物Ｎの存在が検出されると、被加熱物Ｎを五徳２から外すように使用者に促すべくスピーカ２４にて報知する被加熱物除去指令処理を実行するように構成されている。
【００５８】
以下、制御部４による制御内容について図５及び図６に示すフローチャートに基づいて具体的に説明する。
すなわち、電源スイッチＳＷがオン操作されて電源が入り状態になると（ステップ１）、載置状態検出スイッチ２３がオフして五徳に被加熱物が載置されていないことが検出され、且つ、前記外径検出手段Ｋにおける前記被加熱物存否検出手段Ｓにて被加熱物Ｎの存在が検出されると、つまり、複数の光センサＳ１〜Ｓ８のうちの少なくともいずれか１つ以上のものが被加熱物Ｎの存在が検出すると、異常状態であると判別して報知処理を実行する（ステップ２，３，４）。具体的には、スピーカ２４により「天板上の異物を取り除いて下さい」という音声指令を発する。上記したような異常状態が判別される場合としては、天板１の光透過窓１８が汚れていたり、光透過窓１８の上に他物が載置されていることが考えられるので、それらの異物を除去するための指令を行うのである。
【００５９】
異常状態であることが判別されると、全ての光センサＳ１〜Ｓ８において被加熱物Ｎの存在が検出されない状態となるか、又は、電源スイッチＳＷが切り操作されるまで、報知を継続する（ステップ５）。つまり、バーナ３に対する点火処理を実行しないようになっている。
【００６０】
又、そのとき、載置状態検出スイッチ２３がオンして五徳２に被加熱物Ｎが載置されていることが検出され、且つ、前記外径検出手段Ｋにおける前記被加熱物存否検出手段Ｓにて被加熱物Ｎの存在が検出されると、つまり、複数の光センサＳ１〜Ｓ８のうちの少なくともいずれか１つ以上のものが被加熱物Ｎの存在が検出すると、前記被加熱物除去指令処理を実行する（ステップ２，６，７）。具体的には、スピーカ２４により「鍋を一旦外して下さい。」という音声指令を発する。そして、使用者が被加熱物Ｎを取り外すと載置状態検出スイッチ２３がオフするので、ステップ３に移行して異常判別処理を行うことができる。尚、被加熱物除去指令処理を開始してから設定時間以上経過しても載置状態検出スイッチ２３がオフしないときは、次の処理に移行する（ステップ８）。
【００６１】
点消火スイッチ１６のオン操作により点火指令があると、ステップ２〜４における異常判別処理と同じような処理を実行する。すなわち、載置状態検出スイッチ２３がオフして五徳２に被加熱物Ｎが載置されていないことが検出され、且つ、外径検出手段Ｋにおけるいずれかの光センサＳ１〜Ｓ８にて被加熱物Ｎの存在が検出されていれば、異常状態であると判別して報知処理を実行する（ステップ９〜１２）。つまり、スピーカ２４により「天板上の異物を取り除いて下さい」という音声指令を発する。全ての光センサＳ１〜Ｓ８において被加熱物Ｎの存在が検出されていなければ、動作は正常であるから点火処理を行わない状態を維持する（ステップ１１、２７）。
【００６２】
ステップ１０にて五徳２に被加熱物Ｎが載置されていると判別すると、バーナ３に点火させる点火処理を実行する。つまり、断続弁１２を開弁させ且つバーナ３の燃焼量が点火用燃焼量になるようにガス量調節弁１３を制御して、イグナイタ１４を作動させて前記バーナ３に点火させる。その後、熱電対１５にてバーナ３への着火状態が確認されるとイグナイタ１４の作動を停止する（ステップ１４〜１７）。尚、前記点火用燃焼量は調節可能範囲のうちの中間よりも大きめの燃焼量に対応するものである。
【００６３】
次に、制御部４は、バーナ３が点火した後において、８個の光センサＳ１〜Ｓ８の検出情報に基づいて、被加熱物の外径が大径、中径、小径のうちのいずれの径であるかを判別する外径判別処理を実行する（ステップ１８）。
【００６４】
このとき、各光センサＳ１〜Ｓ８が互いに異なるタイミングで上方に向けて光を照射して反射光の有無を検出するようになっている。説明を加えると、例えば、制御部４は、図７に示すように、１番目の光センサＳ１が時刻ｔ１で検出作動を開始し、以下、各光センサＳ２〜Ｓ８が順次異なるタイミングの時刻ｔ２〜ｔ８において検出作動を開始するように、各光センサＳ１〜Ｓ８の作動を制御するように構成されている。つまり、各光センサＳ１〜Ｓ８において、発光部１９による光の照射を実行し、且つ、受光部２０による反射光の検出の有無を判別し、反射光があれば被加熱物Ｎの存在を検出したと判別し、反射光がなければ被加熱物Ｎの存在を検出していないと判別することになる。
【００６５】
次に前記外径判別処理について説明を加えると、制御部４は、８個の光センサＳ１〜Ｓ８のうち径方向の外側に位置する４つの光センサＳ５〜Ｓ８のうちの３個以上のものが被加熱物Ｎの存在を検出すると、大径の被加熱物Ｎであると判別する。このとき、３個以上としているのは、図８（ハ）の仮想線で示すように被加熱物Ｎがバーナ３の中心位置に対して中心が位置ずれしているような場合には、１個の光センサが存在を検出しないおそれがあるからである。
【００６６】
又、径方向の外側に位置する４つの光センサＳ５〜Ｓ８のうち被加熱物Ｎの存在を検出するものが２個以下であり、径方向の内側に位置する４つの光センサＳ１〜Ｓ４のうちの３個以上のものが被加熱物Ｎの存在を検出すると、中径の被加熱物Ｎであると判別する。このとき、判別基準として３個以上としているのは、大径のときと同様に、図８（ロ）の仮想線で示すように被加熱物Ｎがバーナ３の中心位置に対して中心が位置ずれしているような場合には、１個の光センサが存在を検出しないおそれがあるからである。
【００６７】
そして、径方向の内側に位置する４つの光センサＳ１〜Ｓ４のうち被加熱物Ｎの存在を検出するものが２個以下であれば、小径の被加熱物Ｎであると判別する。このとき判別基準として２個以下としているのは、図８（イ）の仮想線で示すように被加熱物Ｎがバーナ３の中心位置に対して中心が位置ずれしているような場合には、２個の光センサが存在を検出しないおそれがあるからである。
【００６８】
そして、外径が大であると判別するとバーナ３の燃焼量を大径の被加熱物Ｎに適した大燃焼量になるようにガス量調節弁１３を制御し、外径が中であると判別するとバーナ３の燃焼量を中径の被加熱物Ｎに適した中燃焼量になるようにガス量調節弁１３を制御し、外径が小であると判別するとバーナ３の燃焼量を小径の被加熱物Ｎに適した小燃焼量になるようにガス量調節弁１３を制御する（ステップ１９〜２２）。
【００６９】
その後、燃焼量調節器１７が使用者によって手動操作されて燃焼量の変更指令があると、その指令された燃焼量に対応させてガス量調節弁１３を制御する（ステップ２３、２４）。つまり、加熱調理を開始した後においては、使用者により指令される燃焼量にて加熱調理を行うことができる。そして、点消火スイッチ１６により消火指令が指令されると、バーナ３の消火処理を実行する（ステップ２５、２６）。つまり、断続弁１２及びガス量調節弁１３を閉弁させて燃料ガスＧの供給を停止させてバーナ３の燃焼を停止させる。又、電源スイッチＳＷが切り操作されなければステップ７〜２６を繰り返す（ステップ２７）。
【００７０】
〔第２実施形態〕
次に、本発明にかかるコンロの第２実施形態を図面に基づいて説明する。
この実施形態のコンロは、外径検出手段の構成及び制御部による制御処理内容が異なる他は、第１実施形態の構成と同じであるから、異なる構成についてのみ説明し、同じ構成については説明は省略する。
【００７１】
つまり、この第２実施形態では、第１実施形態と同様に、前記被加熱物存否検出手段が、前記五徳に載置される被加熱物の径方向に互いに異なる複数の位置の夫々における被加熱物の存否を検出する複数の検出部としての光センサを備えて構成されるのであるが、この第２実施形態では、図１１及び図１２に示すように、前記複数の検出部としての光センサＳ１〜Ｓ１２が、平面視で前記バーナ３の中心部を中心位置として３重に同心円状又はほぼ同心円状になる形態で、且つ、同心円状又はほぼ同心円状に位置する一群のもの（４個）が周方向に約９０度づつ間隔をあけて分散配置した状態で合計１２個設けられる構成となっており、小径の被加熱物Ｎであっても、その被加熱物Ｎの存在を検出することができる構成となっている。
【００７２】
そして、これらの各光センサＳ１〜Ｓ１２は、図１２（ロ）に示すように、標準的な中程度の外径（約２０ｃｍ程度）の被加熱物Ｎをバーナ３の中心位置に中心を合わせて載置させると、径方向の最内方側に位置する４個の光センサＳ９〜Ｓ１２及び径方向中間に位置する４個の光センサＳ１〜Ｓ４が全て被加熱物Ｎの存在を検出し、径方向の最外方側に位置する４個の光センサＳ５〜Ｓ８が全て被加熱物Ｎの存在を検出しない状態となるような配置関係としている。又、標準的な中程度の外径よりも小さい小径の被加熱物Ｎであれば、図１２（イ）に示すように、径方向の最内方側に位置する４個の光センサＳ９〜Ｓ１２が全て被加熱物Ｎの存在を検出し、径方向中間に位置する４個の光センサＳ１〜Ｓ４及び径方向の最外方側に位置する４個の光センサＳ５〜Ｓ８が全て被加熱物Ｎの存在を検出しない状態となるような配置関係としている。標準的な中程度の外径よりも大きい大径の被加熱物Ｎであれば、図１２（ハ）に実線で示すように、全ての光センサＳ１〜Ｓ１２が被加熱物Ｎの存在を検出する状態となるような配置関係としている。
【００７３】
そして、前記制御部４が、前記複数の光センサＳ１〜Ｓ１２のうちのいずれにおいても被加熱物の存在が検出されず、且つ、前記載置状態検出手段２１にて前記五徳２に被加熱物Ｎが載置されていることが検出されると、異常状態であると判別する異常判別処理を実行するように構成されている。又、制御部４は、第１実施形態と同様に、電源スイッチＳＷが入操作されて電源供給が開始されるに伴って前記異常判別処理を実行するように構成され、さらに、電源スイッチＳＷが入り操作されている状態で、点消火スイッチ１６が操作されて点火操作が行われると前記異常判別処理を実行するように構成されており、前記異常判別処理にて前記異常状態であることを判別すると、そのことをスピーカ２４にて音声で報知する報知処理を実行するように構成されている。
【００７４】
次に、制御部４による制御内容についてフローチャートに基づいて具体的に説明する。
図９に示すように、電源スイッチＳＷがオン操作されて電源が入り状態になると（ステップ１）、載置状態検出スイッチ２３がオフして被加熱物Ｎの存在が検出されていない状態であり、外径検出手段Ｋにおける複数の光センサＳ１〜Ｓ１２のうちのいずれかのものが被加熱物の存在を検出している状態であれば、異常状態であると判別して報知処理を実行する（ステップ２，３，４）。具体的には、スピーカ２４により「鍋検出状態が異常です」という音声指令を発する。異常状態であることが判別されると、全ての光センサＳ１〜Ｓ１２において被加熱物Ｎの存在が検出されない状態となるか、又は、電源スイッチＳＷが切り操作されるまで、報知を継続する（ステップ５）。
【００７５】
ステップ２において、載置状態検出スイッチ２３がオンして被加熱物Ｎの存在が検出されている状態であり、且つ、外径検出手段Ｋにおける複数の光センサＳ１〜Ｓ１２の全てのものが被加熱物Ｎの存在を検出していない状態であれば、異常状態であると判別して報知処理を実行し（ステップ６、４）、少なくとも１つ以上の光センサＳ１〜Ｓ１２において被加熱物Ｎの存在が検出されていると前記被加熱物除去指令処理を実行する（ステップ７）。具体的には、スピーカ２４により「鍋を一旦外して下さい。」という音声指令を発する。
【００７６】
前記被加熱物除去指令処理の実行を開始してから設定時間が経過しても、載置状態検出スイッチ２３がオンして被加熱物Ｎの存在が検出されている状態が継続していれば、異常状態であると判別して報知処理を実行する（ステップ８，９）。載置状態検出スイッチ２３がオフして被加熱物Ｎの存在が検出されていない状態になると、そのとき、外径検出手段Ｋにおける複数の光センサＳ１〜Ｓ１２のうちのいずれかのものが被加熱物の存在を検出している状態であれば、異常状態であると判別して報知処理を実行する（ステップステップ１０）。
【００７７】
そして、載置状態検出スイッチ２３がオフして被加熱物Ｎの存在が検出されていない状態であり、且つ、外径検出手段Ｋにおける全ての光センサＳ１〜Ｓ１２において被加熱物Ｎの存在が検出されない状態であることが検出されると、点消火スイッチ１６のオン操作により点火指令があるか否かの判断が行われる（ステップ１１）。
【００７８】
点火指令があると、載置状態検出スイッチ２３がオンして被加熱物Ｎの載置状態を検出している状態であり、且つ、全ての光センサＳ１〜Ｓ１２が被加熱物Ｎの非存在を検出している状態であれば、異常状態であると判別してステップ４と同様な報知処理を実行する（ステップ１２，１３，１４）。異常状態であることが判別されると、電源スイッチＳＷが切り操作されるまで、報知を継続する（ステップ１５）。
【００７９】
前記載置状態検出スイッチ２３がオフしており、五徳２に被加熱物Ｎが載置されていないことが検出されていると点火処理は行わない。又、異常判別処理にて異常状態が検出されなければ、第１実施形態と同様に、バーナ３の点火処理を実行し、外径判別処理を行って外径に応じた燃焼量に調整し、消火指令があれば消火する（ステップ１６〜２８）。そして、電源スイッチＳＷが切り操作されるまでステップ１１〜２８を繰り返す（ステップ２９）。
【００８０】
次に前記外径判別処理について説明を加えると、制御部４は、第１実施形態のときと同様に、径方向の最外方側に位置する４つの光センサＳ５〜Ｓ８のうちの３個以上のものが被加熱物Ｎの存在を検出すると、大径の被加熱物Ｎであると判別する。又、径方向の最外方側に位置する４つの光センサＳ５〜Ｓ８のうち被加熱物Ｎの存在を検出するものが２個以下であり、径方向の中間に位置する４つの光センサＳ１〜Ｓ４のうちの３個以上のものが被加熱物Ｎの存在を検出すると、中径の被加熱物Ｎであると判別する。そして、径方向の中間に位置する４つの光センサＳ５〜Ｓ８のうち被加熱物Ｎの存在を検出するものが２個以下であり、径方向の最内方側に位置する４つの光センサＳ９〜Ｓ１２のうちの３個以上のものが被加熱物Ｎの存在を検出すると、小径の被加熱物Ｎであると判別する。
【００８１】
〔別実施形態〕
次に別実施形態を説明する。
【００８２】
（１）上記実施形態では、複数の検出部としての前記複数の光センサが、平面視で前記バーナの中心部を中心位置として複数重に同心円状又はほぼ同心円状になる形態で、且つ、同心円状又はほぼ同心円状に位置する一群のもの（４個）が周方向に約９０度づつ間隔をあけて分散配置した状態で８個設けられるものを例示したが、このような構成に限らず、周方向に９０度づつ間隔をあけて分散配置するものに限らず、光センサを周方向に９０度とは異なる角度で間隔をあけて配置するものでもよく、周方向の１箇所において被加熱物の径方向に並べて複数の光センサを配置する構成としてもよく、要するに、被加熱物の外径を判別することが可能であればよく、種々の配置構成で実施することができる。
【００８３】
（２）上記実施形態では、前記複数の検出部としての光センサにて互いに異なるタイミングで検出された夫々の検出情報に基づいて被加熱物の外径を判別するように構成したが、このような構成に限らず、光センサとして光を発光したり受光するときの指向性が鋭いものを用いるようにすると、複数の光センサにて同時に検出された夫々の検出情報に基づいて被加熱物の外径を判別するようにすることもできる。
【００８４】
（３）上記実施形態では、前記外径検出手段における前記被加熱物存否検出手段が複数の検出部としての複数の光センサを備える構成としたが、このような構成に代えて、検出部を１個だけ備える構成としてもよく、又、検出部として光センサのような光学式検出手段に代えて、上記実施形態における載置状態検出手段のような接触式の存否検出手段にて構成するものでもよい。
【００８５】
又、前記外径検出手段として、次のように構成するものでもよい。
つまり、前記被加熱物存否検出手段が１個の光センサを備えて、その光センサが、前記バーナの径方向に沿って被加熱物の外径を検出するための検出用移動範囲にわたって駆動移動される状態で設けられ、ストロークセンサ等により光センサの移動位置を検出する構成として、前記外径判別手段が、前記光センサが移動されたときの移動位置とその光センサの被加熱物存否検出の情報とに基づいて、被加熱物の外径を判別するように構成するものでもよい。
【００８６】
（４）上記実施形態では、前記載置状態検出手段として、接触式の載置状態検出部を備える構成としたが、上記実施形態における光センサと同じような光学式検出手段にて構成するものでもよい。
【００８７】
（５）上記実施形態では、電源スイッチが入操作されて電源供給が開始されるに伴って前記異常判別処理を実行するように構成され、さらに、電源スイッチが入り操作されている状態で、点消火スイッチが操作されて点火操作が行われると前記異常判別処理を実行するように構成されるものを例示したが、異常判別処理を手動で指令する専用の指令スイッチを設ける構成としてもよく、異常判別処理を設定時間毎に自動的に繰り返し実行するもの等、各種の形態で実施してもよい。
【００８８】
（６）上記実施形態では、前記異常状態であることを判別すると、音声によって報知するようにしたが、ランプを点滅させたり、文字表示等によって異常を報知するようにしてもよく、音声にて報知するものに限定されるものではない。
【００８９】
（７）上記実施形態では、前記異常状態であることを判別すると、前記バーナに対する点火処理を実行しないように制御する構成としたが、このような構成に代えて、例えば、バーナに対する点消火処理を機械式の器具栓にて手動操作にて行う構成のものであれば、前記異常状態であることを判別すると、前記バーナに対する点火処理を実行したのちに前記バーナに対する燃料供給量を点火用設定値よりも少ない値に調整する燃焼量低減処理を実行するように構成するものでもよい。
【００９０】
（８）上記実施形態では、光透過窓１８と天板１は異なる材料で構成されていたが、天板と同じ材料で光透過窓を構成するものでもよい。
【図面の簡単な説明】
【００９１】
【図１】コンロの設置状態を示す概略図
【図２】コンロバーナ部の構成図
【図３】コンロバーナ部の平面図
【図４】制御ブロック図
【図５】制御フローチャート
【図６】制御フローチャート
【図７】動作用タイミングチャート
【図８】外径判別状態を示す図
【図９】第２実施形態の制御フローチャート
【図１０】第２実施形態の制御フローチャート
【図１１】第２実施形態のコンロバーナ部の平面図
【図１２】第２実施形態の外径判別状態を示す図
【符号の説明】
【００９２】
１              天板
２              五徳
３              バーナ
１３            燃焼量調整手段
１６            点火指令手段
１８            光透過窓
２１            載置状態検出手段
Ｋ              外径検出手段
Ｎ              被加熱物
Ｓ１〜Ｓ１２    光学式検出手段
【図１】
2008138912.tif 000003
【図２】
2008138912.tif 000004
【図３】
2008138912.tif 000005
【図４】
2008138912.tif 000006
【図５】
2008138912.tif 000007
【図６】
2008138912.tif 000008
【図７】
2008138912.tif 000009
【図８】
2008138912.tif 000010
【図９】
2008138912.tif 000011
【図１０】
2008138912.tif 000012
【図１１】
2008138912.tif 000013
【図１２】
2008138912.tif 000014